(57)【要約】      （修正有）【課題】葬儀にあたり、故人の遺志や遺族の心情を汲み取り、故人の生前の趣味に合った衣服を素早くかつ簡易に遺体に着用させる装置を提供する。【解決手段】切り開いた衣服一方の切り口の布を挟み込み、内張りの両面接着式あるいは加熱接着式のテープを接着した重ね折りテープを左端に、かつ、左端の裏面に止め具を設置した１枚の細長い布片、また、この衣服を切り開いた他方の切り口の布を挟み込み、内張りの両面接着式あるいは加熱接着式テープを接着した重ね折りテープを左端に、かつ、右端に止め具を設置した１枚の細長い布片を１組とし、一方の切り口の布を右側から挟み込む１枚の細長い布片を、他方の切り口の布を左側から挟み込む１枚の布片に重ね合わせて止め具をもって接続を可能にする。【選択図】図１
0003162386.tif 000002
【実用新案登録請求の範囲】
【請求項１】
故人の生前の趣味に合った衣服を遺体に素早くかつ簡易に着用させるために、切り開いた衣服の一方の切り口の布を右側から挟み込み、内張りの両面接着式あるいは加熱接着式のテープをもって接着した重ね折りテープを左端に、かつ、左端の裏面に止め具を設置した１枚の細長い布片、また、切り開いた衣服の他方の切り口の布を左側から挟み込み、内張りの両面接着式あるいは加熱接着式のテープをもって接着した重ね折りテープを左端に、かつ、右端に止め具を設置した一枚の細長い布片を１組とし、更に、一方の切り口の右側から挟み込む１枚の細長い布片を、他方の切り口の布を左側から挟み込む１枚の細長い布片に重ね合わせて止め具をもって接続を可能にしたところを特徴とする葬送衣装の簡易着用装置。
【考案の詳細な説明】
【技術分野】
【０００１】  この考案は、葬儀にあたり、故人の生前の趣味に合った衣服を遺体に素早くかつ簡易に着用させるための装置に関するものである。
【背景技術】
【０００２】  葬儀にあたり、従来、遺体に着用させる衣装には余り関心が向けられなかった。葬祭業者の持参した、白無地の着物（死装束）あるいは浴衣等の簡素なものであった。それは、時間の制約を受けながら、素早くかつ簡易に着用させるためである。【０００３】    ところが、葬儀にあたり、故人の尊厳や個性を重視する昨今、このような衣装は故人に敬意を表すものと言い難いし、また、人生の花向けに相応しい衣装を故人に着用させたいと願う遺族の心情を汲み取るものでもない。【０００４】  そうすると、故人の生前の趣味に合った衣服を遺体に着用させるならば、生前の姿を彷彿と再現して、参列者と最後の別れができるので、故人の遺志にも、かつ、遺族の心情にも適うことになる。【０００５】  しかし、実際には、このような衣服を遺体に着用させるのは困難である。それは、衣服には、いろいろな様式があるし、また、遺体の状態の変化に対応して、素早くかつ簡単に着用させることが困難であり、かつ、人手でも必要とするからである。【０００６】  そこで、白無地の着物・浴衣ばかりではなく、多少見栄えを良くした簡素な衣装を着用させるのが実情であり、また、故人の生前の趣味に合った衣服を遺体に掛けてやるのが精々である。
【考案の開示】
【考案が解決しようとする課題】
【０００７】  この考案が解決しようとする問題点は、次の通りである。【０００８】  先ず、故人の尊厳と個性を尊重する昨今、故人の遺志や遺族の心情を汲み取るならば、白無地の着物（死装束）・浴衣等の簡素な衣装ではなく、人生の花向けに相応しい服装を故人にさせて葬送することが必要である。【０００９】  次に、故人の生前の姿を彷彿と再現して、参列者と最後の別れをするためには、故人の生前の趣味に合った衣服を遺体に掛けるのではなく、この衣服を遺体に着用させることが必要である。【００１０】  最後に、お仕着せの装束ではなく、故人の生前の趣味に合った衣服にはいろいろな様式があり、また、時間の経過によって遺体の状態に変化があるので、これらに対応して、素早くかつ簡易に遺体に着用させることが必要である。
【課題を解決するための手段】
【００１１】  この考案が解決する手段は、次の通りである。【００１２】  先ず、故人の生前の趣味に合った衣服を切り開いて、それぞれの切り口の布（６）を挟み込み、この衣服を素早くかつ簡易に遺体に着用させるために、２枚の細長い布片（１）（２）を１組とする、葬送衣装の簡易着用装置である。【００１３】  次に、切り開いた衣服の一方の切り口の布（６）を右側から挟み込むために、内張りの両面接着式あるいは加熱接着式のテープ（３）を接着した重ね折りテープ（４）を左端に、また、左端の裏面に止め具（５）を設置した１枚の細長い布片（１）からなる、葬送衣装の簡易着用装置である。【００１４】  更に、切り開いた衣服の他方の切り口の布（６）を左側から挟み込むために、内張りの両面接着式あるいは加熱接着式のテープ（３）を接着した重ね折りテープ（４）を左端に、また、右端に止め具（５）を設置した１枚の細長い布片（２）からなる、葬送装置の簡易着用装置である。【００１５】  最後に、一方の切り口の布（６）を右側から挟み込む１枚の細長い布片（１）を、他方の切り口の布（６）を左側から挟み込む１枚の細長い布片（２）に重ね合わせて止め具（５）をもって接続することを可能にする、葬送衣装の簡易着用装置である。
【考案の効果】
【００１６】    この考案の効果は、次の通りである。【００１７】  先ず、この装置は、故人の生前の趣味に合った衣服を着用させるので、生前の姿を彷彿と再現して、参列者と最後の別れをすることができる。したがって、故人の遺志や遺族の心情に適うことになる。【００１８】  次に、この装置は、衣服を切り開いて、それぞれの切り口に設置し、また、これらを接続するだけであるから、いろいろな様式の衣服にも、また、遺体の状態の変化にも対応して、素早くかつ簡易に衣服を遺体に着用できる。【００１９】  最後に、この装置は、２枚の細長い布片（１）（２）を基礎にし、また、それぞれ、止め具（５）と両面接着式あるいは加熱接着式のテープ（３）を内張りした重ね折りテープ（４）を設置したものであるから、どのような場所でも、また、縫製業者でなくとも、安価に仕上げることができる。
【考案を実施するための形態】
【００２０】  この考案の最良の実施形態は、次の通りである。
【００２１】  先ず、故人の生前の趣味に合った衣服を切り開いて、一方の切り口の布（１）を右側から挟み込むために、１枚の細長い布片（２）の左端には、内張りの両面接着式あるいは加熱接着式のテープ（３）を接着した重ね折りテープ（４）を設置し、また、左端の裏面には、マジックテープ等の止め具（５）を設置する。
【００２２】  次に、、この衣服を切り開いて、他方の切り口の布（６）を左側から挟み込むために、１枚の細長い布片（１）の左端には、内張りの両面接着式あるいは加熱接着式のテープ（３）を接着した重ね折りテープ（４）を設置し、また、この右端には、マジックテープ等の止め具（５）を設置する。
【００２３】  最後に、この衣服の切り口の布（６）を右側から挟み込む細長い布片（１）を、この衣服の切り口の布（６）を左側から挟み込む細長い布片（２）に重ね合わせて、マジックテープ等の止め具（５）で接続する。
【実施例】
【００２４】  この考案の実施例は、次の通りである。【００２５】  この考案は、葬儀にあたり、故人の生前の趣味にあった衣服を切り割いて、衣服の布（６）に切り口を開いて、素早くかつ簡易に衣服を遺体に着用させた後、衣服の布（６）の切り口を接続するための葬送衣装の簡易着用装置である。【００２６】  この装置の本体となるのは、２枚の細長い布片（１）（２）を１組とする素地である。これらを重ね合わせたとき、前となる布地を重ね地（１）、後となる布地を受け地（２）とする。【００２７】  重ね地（１）の左端の裏側の部位には、マジックテープ等の止め具（５）を設置し、また、この止め具（５）に当たる受け地（２）の表側の右端の部位には、マジックテープ等の止め具（５）を設置する。【００２８】  両面接着式（３）あるいは加熱接着式のテープを内張りして接着し、かつ、右側を開放部とした、バイヤステープという重ね折りテープ（４）を重ね地（２）の表側の左端に設置する。【００２９】  両面接着式（３）あるいは加熱接着式テープを内張り接着し、かつ、左側を開放部とした、重ね折りテープ（４）を受け地（２）の表側の左端に設置する。【００３０】  このような装置を実施して、故人の趣味にあった衣服を遺体に素早くかつ簡易に着用させるための手順は、次の通りである。【００３１】  先ず、故人の生前の趣味に合った衣服の中でも、洋服であれば、上着の脇・肩・袖等、あるいは、スカート・ズボン等の脇等、また、洋服と比較して素早くかつ簡易に着用が可能である着物であれば、帯・紐の脇等の布（６）を切り割き、切り口を開ける。【００３２】  この衣服の切り口に対応して、受け地（２）と重ね地（１）の長さを適度に切り、また、受け地（２）の重ね折りテープ（４）を開いて、かつ、重ね地（１）の重ね折りテープ（４）を開いて、衣服の切り口の布（６）を挟み込み接着する。【００３３】  それぞれの重ね折りテープに内張りした両面接着式のテープをもって接着すると、両面接着式のテープでは接着力が不足することがある。そこで、重ね折りテープに内張りした加熱接着式のテープをアイロンで加熱して接着すれば強力となる。【００３４】  衣服の切り口を開いて柩の中に敷き、衣服の上に遺体を安置し、また、遺体の状態の変化に対応して、受け地（２）と重ね地（１）のマジックテープ等の止め具（５）をもって接続した後、衣服のボタン・チャックなどを締める。【００３５】  そうすると、故人の生前の趣味に合った衣服を素早くかつ簡易に遺体に着用させることによって、故人の生前の姿を再現して、参列者と最後の別れをすることができるので、故人の遺志や遺族の心情に適うものである。
【図面の簡単な説明】
【００３６】
【図１】  本考案の葬送衣装の着用装置１組の斜視図である。
【図２】  本考案の葬送衣装の着用装置１組を衣服に設置した断面図である。
【符号の説明】
【００３７】１  重ね地
２  受け地
３  両面接着式テープ
４  重ね折りテープ
５  止め具
６  衣服の布
【図１】
0003162386.tif 000003
【図２】
0003162386.tif 000004